(57)【要約】【課題】  取り替え可能なＬＥＤモジュールを備えるとともに、外観をより洗練することが可能なＬＥＤ照明装置を提供すること。【解決手段】  ＬＥＤ照明装置Ａ１は、ｚ方向を向く底板部６１を有する装置ケース６と、底板部６１に対して隙間をおいて配置された第１板部７１を有する支持部材７と、第１板部７１にソケットボルト７７４によって固定されたソケット７７と、ソケット７７に取り付けられたＬＥＤ照明モジュールＢ１と、を備えており、ソケットボルト７７４の先端は、ｚ方向において底板部６１よりもＬＥＤ照明モジュールＢ１側に位置する。【選択図】  図１
2017084514.tif 000002
【特許請求の範囲】
【請求項１】
第１方向を向く底板部を有する装置ケースと、
前記底板部に対して隙間をおいて配置された第１板部を有する支持部材と、
前記第１板部にソケットボルトによって固定されたソケットと、
前記ソケットに取り付けられたＬＥＤ照明モジュールと、を備えており、
前記ソケットボルトの先端は、前記第１方向において前記底板部よりも前記ＬＥＤ照明モジュール側に位置することを特徴とする、ＬＥＤ照明装置。
【請求項２】
前記ソケットボルトの先端は、前記第１板部と前記底板部との間に位置している、請求項１に記載のＬＥＤ照明装置。
【請求項３】
前記支持部材は、前記底板部に固定された第二板部と、前記第１板部および前記第二板部を繋ぐ第三板部と、を有する、請求項１または２に記載のＬＥＤ照明装置。
【請求項４】
前記第三板部は、溶接によって前記底板部に固定されている、請求項３に記載のＬＥＤ照明装置。
【請求項５】
前記支持部材は、前記第１方向と直角である第二方向において前記第１板部の両側に位置する一対の前記第二板部と一対の前記第三板部とを有する、請求項４に記載のＬＥＤ照明装置。
【請求項６】
前記底板部は、前記第１方向視において円形状である、請求項５に記載のＬＥＤ照明装置。
【請求項７】
前記装置ケースは、前記底板部に繋がる円筒形状であって、前記支持部材、前記ソケットおよび前記ＬＥＤ照明モジュールを収容する側板部を有する、請求項６に記載のＬＥＤ照明装置。
【請求項８】
前記第１板部の前記第１方向および前記第二方向のいずれに対しても直角である第三方向における周縁は、前記底板部の周縁に沿った円弧形状である、請求項７に記載のＬＥＤ照明装置。
【請求項９】
前記第二板部の前記第二方向における周縁は、前記底板部の周縁に沿った円弧形状である、請求項８に記載のＬＥＤ照明装置。
【請求項１０】
前記第１板部には、前記ソケットボルトが挿通されたソケットボルト用孔が形成されている、請求項９に記載のＬＥＤ照明装置。
【請求項１１】
前記ソケットボルト用孔には、前記ソケットボルトに螺合する雌ねじが形成されている、請求項１０に記載のＬＥＤ照明装置。
【請求項１２】
複数の前記ソケットボルト用孔が、前記底板部の中心から等距離に配置されている、請求項１０または１１に記載のＬＥＤ照明装置。
【請求項１３】
４つの前記ソケットボルト用孔が、前記第二方向および前記第三方向に延びる辺を有する矩形状をなす配置とされている、請求項１２に記載のＬＥＤ照明装置。
【請求項１４】
前記４つのソケットボルト用孔がなす矩形状は、前記第三方向長さが前記第二方向長さよりも大である、請求項１３に記載のＬＥＤ照明装置。
【請求項１５】
前記ＬＥＤ照明モジュールは、凸部およびピンからなる口金を有している、請求項１４に記載のＬＥＤ照明装置。
【請求項１６】
前記ソケットは、前記凸部が挿入される凹部を有する、請求項１５に記載のＬＥＤ照明装置。
【請求項１７】
前記ソケットの前記凹部は、前記第１方向視において、前記複数のソケットボルト用孔よりも前記底板部の中心側に位置している、請求項１６に記載のＬＥＤ照明装置。
【請求項１８】
前記ソケットは、前記ピンと係合するピン用係合部を有する、請求項１５ないし１７のいずれかに記載のＬＥＤ照明装置。
【請求項１９】
前記ピン用係合部は、前記第１方向視において前記底板部の中心からの距離が前記ソケットボルト用孔と等しい、請求項１８に記載のＬＥＤ照明装置。
【請求項２０】
前記装置ケースを外部に固定するための外部取付部材をさらに備える、請求項１４ないし１９のいずれかに記載のＬＥＤ照明装置。
【請求項２１】
前記外部取付部材は、前記底板部を貫通する外部取り付けアームを有する、請求項２０に記載のＬＥＤ照明装置。
【請求項２２】
前記支持部材の前記第１板部は、前記外部取り付けアームを貫通させる外部取付アーム用孔と、前記外部取り付けアームを前記第１板部に固定するための外部取付ボルトを挿通させる外部取付ボルト用孔を有する、請求項２１に記載のＬＥＤ照明装置。
【請求項２３】
前記外部取付部材は、前記第二方向に互いに離間する一対の前記外部取り付けアームを有する、請求項２２に記載のＬＥＤ照明装置。
【請求項２４】
前記外部取り付けアームは、前記第１方向に延びる主部と、該主部の前記第１方向先端から前記第二方向外方に延びる固定部とを有しており、
前記固定部が前記外部取付ボルトによって前記第１板部に固定されている、請求項２３に記載のＬＥＤ照明装置。
【請求項２５】
前記第１板部は、前記第二方向に離間配置された一対の前記外部取付アーム用孔と、これらの一対の外部取付アーム用孔の前記第二方向外方に位置する一対の前記外部取付ボルト用孔とを有する、請求項２４に記載のＬＥＤ照明装置。
【請求項２６】
前記外部取り付けアームの前記主部は、前記第二方向を厚さ方向とし前記第三方向を幅方向とする帯板状であり、
前記外部取付アーム用孔は、前記第三方向に長く延びる形状である、請求項２５に記載のＬＥＤ照明装置。
【請求項２７】
前記一対の外部取付ボルト用孔の前記第二方向距離は、前記複数のソケットボルト用孔がなす矩形状の前記第二方向距離よりも大である、請求項２６に記載のＬＥＤ照明装置。
【請求項２８】
前記一対の外部取付アーム用孔の前記第二方向距離は、前記複数のソケットボルト用孔がなす矩形状の前記第二方向距離よりも小である、請求項２７に記載のＬＥＤ照明装置。
【請求項２９】
前記外部取付部材は、主電源ケーブルを有しており、
前記支持部材の第１板部は、前記主電源ケーブルを挿通させるケーブル用孔を有する、請求項２８に記載のＬＥＤ照明装置。
【請求項３０】
前記ケーブル用孔は、前記第二方向において前記一対の外部取付アーム用孔の間に位置している、請求項２９に記載のＬＥＤ照明装置。
【請求項３１】
前記外部取付ボルトの先端は、前記第１方向において前記底板部よりも前記ＬＥＤ照明モジュール側に位置する、請求項２６ないし３０のいずれかに記載のＬＥＤ照明装置。
【請求項３２】
前記外部取付ボルトの先端は、前記第１板部と前記底板部との間に位置している、請求項３１に記載のＬＥＤ照明装置。
【請求項３３】
前記外部取付ボルト用孔には、前記外部取付ボルトに螺合する雌ねじが形成されている、請求項３２に記載のＬＥＤ照明装置。
【請求項３４】
前記外部取付部材は、外部に取り付けられる外部取付部および該外部取付部と前記外部取り付けアームとの相対角度を変更するための丁番部を有する、請求項２１ないし３３のいずれかに記載のＬＥＤ照明装置。
【発明の詳細な説明】
【技術分野】
【０００１】
本発明は、ＬＥＤ照明装置に関する。
【背景技術】
【０００２】
ＬＥＤチップを光源として用いたＬＥＤ照明装置が広く使用されている。特許文献１には、所謂スポットライトとして構成されたＬＥＤ照明装置が開示されている。このＬＥＤ照明装置は、ライティングレール、配線ダクト、ダクトレール等と称される外部取付機構（以下、ダクトレール）に取り付けられる。ダクトレールは、ＬＥＤ照明装置を指示するとともに、ＬＥＤ照明装置を発光するための電力を供給する。
【０００３】
スポットライトとして構成されたＬＥＤ照明装置は、室内の美観を左右しうるものである。このため、より洗練された外観が求められる。また、光源としてのＬＥＤチップは、照明の照度や色合い等を考慮して、取り替えられることが望ましい。
【先行技術文献】
【特許文献】
【０００４】
【特許文献１】特開２０１５−０１８７２３号公報
【発明の概要】
【発明が解決しようとする課題】
【０００５】
本発明は、上記した事情のもとで考え出されたものであって、取り替え可能なＬＥＤモジュールを備えるとともに、外観をより洗練することが可能なＬＥＤ照明装置を提供することをその課題とする。
【課題を解決するための手段】
【０００６】
本発明によって提供されるＬＥＤ照明装置は、第１方向を向く底板部を有する装置ケースと、前記底板部に対して隙間をおいて配置された第１板部を有する支持部材と、前記第１板部にソケットボルトによって固定されたソケットと、前記ソケットに取り付けられたＬＥＤ照明モジュールと、を備えており、前記ソケットボルトの先端は、前記第１方向において前記底板部よりも前記ＬＥＤ照明モジュール側に位置することを特徴としている。
【０００７】
本発明の好ましい実施の形態においては、前記ソケットボルトの先端は、前記第１板部と前記底板部との間に位置している。
【０００８】
本発明の好ましい実施の形態においては、前記支持部材は、前記底板部に固定された第二板部と、前記第１板部および前記第二板部を繋ぐ第三板部と、を有する。
【０００９】
本発明の好ましい実施の形態においては、前記第三板部は、溶接によって前記底板部に固定されている。
【００１０】
本発明の好ましい実施の形態においては、前記支持部材は、前記第１方向と直角である第二方向において前記第１板部の両側に位置する一対の前記第二板部と一対の前記第三板部とを有する。
【００１１】
本発明の好ましい実施の形態においては、前記底板部は、前記第１方向視において円形状である。
【００１２】
本発明の好ましい実施の形態においては、前記装置ケースは、前記底板部に繋がる円筒形状であって、前記支持部材、前記ソケットおよび前記ＬＥＤ照明モジュールを収容する側板部を有する。
【００１３】
本発明の好ましい実施の形態においては、前記第１板部の前記第１方向および前記第二方向のいずれに対しても直角である第三方向における周縁は、前記底板部の周縁に沿った円弧形状である。
【００１４】
本発明の好ましい実施の形態においては、前記第二板部の前記第二方向における周縁は、前記底板部の周縁に沿った円弧形状である。
【００１５】
本発明の好ましい実施の形態においては、前記第１板部には、前記ソケットボルトが挿通されたソケットボルト用孔が形成されている。
【００１６】
本発明の好ましい実施の形態においては、前記ソケットボルト用孔には、前記ソケットボルトに螺合する雌ねじが形成されている。
【００１７】
本発明の好ましい実施の形態においては、複数の前記ソケットボルト用孔が、前記底板部の中心から等距離に配置されている。
【００１８】
本発明の好ましい実施の形態においては、４つの前記ソケットボルト用孔が、前記第二方向および前記第三方向に延びる辺を有する矩形状をなす配置とされている。
【００１９】
本発明の好ましい実施の形態においては、前記４つのソケットボルト用孔がなす矩形状は、前記第三方向長さが前記第二方向長さよりも大である。
【００２０】
本発明の好ましい実施の形態においては、前記ＬＥＤ照明モジュールは、凸部およびピンからなる口金を有している。
【００２１】
本発明の好ましい実施の形態においては、前記ソケットは、前記凸部が挿入される凹部を有する。
【００２２】
本発明の好ましい実施の形態においては、前記ソケットの前記凹部は、前記第１方向視において、前記複数のソケットボルト用孔よりも前記底板部の中心側に位置している。
【００２３】
本発明の好ましい実施の形態においては、前記ソケットは、前記ピンと係合するピン用係合部を有する。
【００２４】
本発明の好ましい実施の形態においては、前記ピン用係合部は、前記第１方向視において前記底板部の中心からの距離が前記ソケットボルト用孔と等しい。
【００２５】
本発明の好ましい実施の形態においては、前記装置ケースを外部に固定するための外部取付部材をさらに備える。
【００２６】
本発明の好ましい実施の形態においては、前記外部取付部材は、前記底板部を貫通する外部取り付けアームを有する。
【００２７】
本発明の好ましい実施の形態においては、前記支持部材の前記第１板部は、前記外部取り付けアームを貫通させる外部取付アーム用孔と、前記外部取り付けアームを前記第１板部に固定するための外部取付ボルトを挿通させる外部取付ボルト用孔を有する。
【００２８】
本発明の好ましい実施の形態においては、前記外部取付部材は、前記第二方向に互いに離間する一対の前記外部取り付けアームを有する。
【００２９】
本発明の好ましい実施の形態においては、前記外部取り付けアームは、前記第１方向に延びる主部と、該主部の前記第１方向先端から前記第二方向外方に延びる固定部とを有しており、前記固定部が前記外部取付ボルトによって前記第１板部に固定されている。
【００３０】
本発明の好ましい実施の形態においては、前記第１板部は、前記第二方向に離間配置された一対の前記外部取付アーム用孔と、これらの一対の外部取付アーム用孔の前記第二方向外方に位置する一対の前記外部取付ボルト用孔とを有する。
【００３１】
本発明の好ましい実施の形態においては、前記外部取り付けアームの前記主部は、前記第二方向を厚さ方向とし前記第三方向を幅方向とする帯板状であり、前記外部取付アーム用孔は、前記第三方向に長く延びる形状である。
【００３２】
本発明の好ましい実施の形態においては、前記一対の外部取付ボルト用孔の前記第二方向距離は、前記複数のソケットボルト用孔がなす矩形状の前記第二方向距離よりも大である。
【００３３】
本発明の好ましい実施の形態においては、前記一対の外部取付アーム用孔の前記第二方向距離は、前記複数のソケットボルト用孔がなす矩形状の前記第二方向距離よりも小である。
【００３４】
本発明の好ましい実施の形態においては、前記外部取付部材は、主電源ケーブルを有しており、前記支持部材の第１板部は、前記主電源ケーブルを挿通させるケーブル用孔を有する。
【００３５】
本発明の好ましい実施の形態においては、前記ケーブル用孔は、前記第二方向において前記一対の外部取付アーム用孔の間に位置している。
【００３６】
本発明の好ましい実施の形態においては、前記外部取付ボルトの先端は、前記第１方向において前記底板部よりも前記ＬＥＤ照明モジュール側に位置する。
【００３７】
本発明の好ましい実施の形態においては、前記外部取付ボルトの先端は、前記第１板部と前記底板部との間に位置している。
【００３８】
本発明の好ましい実施の形態においては、前記外部取付ボルト用孔には、前記外部取付ボルトに螺合する雌ねじが形成されている。
【００３９】
本発明の好ましい実施の形態においては、前記外部取付部材は、外部に取り付けられる外部取付部および該外部取付部と前記外部取り付けアームとの相対角度を変更するための丁番部を有する。
【発明の効果】
【００４０】
本発明によれば、前記第１板部に前記ソケットを固定するソケットボルトの先端が、前記第１方向において前記底板部よりも前記ＬＥＤ照明モジュール側に位置する構成であることにより、前記ＬＥＤ照明装置が、取り替え可能なＬＥＤモジュールを備えるとともに、前記ＬＥＤ照明装置の外観をより洗練することが可能である。
【００４１】
本発明のその他の特徴および利点は、添付図面を参照して以下に行う詳細な説明によって、より明らかとなろう。
【図面の簡単な説明】
【００４２】
【図１】本発明に係るＬＥＤ照明装置の一例を示す一部断面正面図である。
【図２】図１のＬＥＤ照明装置を示す側面図である。
【図３】図１のＬＥＤ照明装置を示す平面図である。
【図４】ＬＥＤ照明モジュールを省略した要部平面図である。
【図５】ソケットを省略した要部平面図である。
【図６】図４のＶＩ−ＶＩ線に沿う要部断面図である。
【図７】図４のＶＩＩ−ＶＩＩ線に沿う要部断面図である。
【図８】図１のＬＥＤ照明装置の支持部材を示す斜視図である。
【図９】図８の支持部材を示す平面図である。
【図１０】図８の支持部材を示す側面図である。
【図１１】図１のＬＥＤ照明装置のＬＥＤ照明モジュールの一例を示す平面図である。
【図１２】図１１のＬＥＤ照明モジュールを示す正面図である。
【図１３】図１１のＬＥＤ照明モジュールを示す底面図である。
【図１４】図１１のＸＩＶ−ＸＩＶ線に沿う断面図である。
【図１５】図１１のＬＥＤ照明モジュールのＬＥＤ発光部を示す平面図である。
【図１６】図１５のＸＶＩ−ＸＶＩ線に沿う断面図である。
【図１７】図１１のＬＥＤ照明モジュールのＬＥＤ発光部を示す要部拡大平面図である。
【図１８】支持部材の変形例を示す平面図である。
【発明を実施するための形態】
【００４３】
以下、本発明の好ましい実施の形態につき、図面を参照して具体的に説明する。
【００４４】
図１〜図１６は、本発明に係るＬＥＤ照明装置の一例の全体あるいは一部を示している。本実施形態のＬＥＤ照明装置Ａ１は、ＬＥＤ照明モジュールＢ１、装置ケース６、支持部材７、ソケット７７および外部取付部材８を備えている。ＬＥＤ照明装置Ａ１は、たとえば住宅の天井等に設けられたダクトレールに取り付けられることにより、所謂スポットライトとして用いられることが意図されているが、これは本発明に係るＬＥＤ照明装置の用途の一例である。本発明に係るＬＥＤ照明装置は、様々な用途に用いられ得る。
【００４５】
まず、ＬＥＤ照明モジュールＢ１について図１１〜図１６を参照しつつ説明する。本実施形態のＬＥＤ照明モジュールＢ１は、モジュールケース１、ＬＥＤ発光部２、カバー３および電源部５を備えている。ＬＥＤ照明モジュールＢ１は、ＬＥＤ照明装置Ａ１の発光機能を果たすモジュールであり、ソケット７７に着脱可能に取り付けられる。本実施形態においては、ＬＥＤ照明モジュールＢ１は、軸方向長さが相対的に短い略円柱形状であるが、これは一例であり、ＬＥＤ照明モジュールＢ１は様々な形状とすることができる。
【００４６】
図１１は、ＬＥＤ照明モジュールＢ１を示す平面図である。図１２は、ＬＥＤ照明モジュールＢ１を示す正面図である。図１３は、ＬＥＤ照明モジュールＢ１を示す底面図である。図１４は、図１１のＸＩＶ−ＸＩＶ線に沿う断面図であり、図５は、要部拡大断面図である。
【００４７】
モジュールケース１は、ＬＥＤ発光部２、カバー３および電源部５を収容もしくは保持するものである。本実施形態においては、モジュールケース１は、放熱部材１１、絶縁部材１２および中間支持部１５からなる。本実施形態においては、モジュールケース１は、平面視円形状である。
【００４８】
放熱部材１１は、ＬＥＤ発光部２からの熱を放散することが意図された部材であり、たとえばアルミなどの金属からなる。放熱部材１１は、搭載面１１ａ、複数のフィン１１ｂおよび係合部１１ｃを有する。搭載面１１ａは、ＬＥＤ発光部２からの光を出射させる出射方向（図１４における図中上方）を向いており、円形の略平面である。複数のフィン１１ｂは、ＬＥＤ発光部２からの熱の放散を促進するためのものであり、放熱部材１１の外周部分全周にわたって設けられている。フィン１１ｂは、ＬＥＤ照明モジュールＢ１の軸方向および径方向に対して平行である。係合部１１ｃは、搭載面１１ａを取り囲む円環状の部分である。係合部１１ｃは、カバー３の取り付けに用いられる。
【００４９】
絶縁部材１２は、放熱部材１１に対して前記出射方向とは反対側に取り付けられており、本実施形態においては、平面視円形状である。絶縁部材１２は、絶縁性材料からなり、本実施形態においては、たとえばポリブチレンテレフタレート（ＰＢＴ）樹脂からなる。絶縁部材１２は、凸部１２ａを有している。凸部１２ａは、前記出射方向とは反対側に突出する円柱形状部分である。図１２に示すように、凸部１２ａには、溝部１２ｂが形成されている。溝部１２ｂは、前記軸方向に延びる部分と、これに続いて前記周方向に延びる部分とを有している。また、絶縁部材１２には、２つのピン１３が設けられている。２つのピン１３は、凸部１２ａを挟んで前記径方向において互いに反対側に位置しており、前記出射方向とは反対側に突出している。この凸部１２ａと２つのピン１３とによって口金１４が構成されている。口金１４は、後述するように、ＬＥＤ照明モジュールＢ１をたとえばソケット７７に装着するためのものであり、たとえばＩＥＣ規格のＧＸ５３型であるが、これに限定されるものではない。
【００５０】
中間支持部１５は、放熱部材１１と絶縁部材１２との間に設けられている。中間支持部１５は、絶縁性材料からなり、本実施形態においては、たとえばポリブチレンテレフタレート（ＰＢＴ）樹脂からなる。中間支持部１５は、２つのピン１３および電源部５の固定保持や、２つのピン１３、ＬＥＤ発光部２および電源部５を接続する配線などを保持する機能を果たす。
【００５１】
ＬＥＤ発光部２は、ＬＥＤ照明モジュールＢ１の光源をなすユニットである。図１５〜図１７に示すように、ＬＥＤ発光部２は、ＬＥＤ基板２１、複数のＬＥＤチップ２２、封止樹脂２４、堰部２５およびホルダ２６を備えている。図１５は、ＬＥＤ発光部２の平面図である。図１６は、図１５のＸＶＩ−ＸＶＩ線に沿う断面図である。図１７は、ＬＥＤ発光部２から封止樹脂２４およびホルダ２６を省略した平面図である。
【００５２】
図１７に示すように、ＬＥＤ基板２１は、たとえば平面視矩形状であり、複数のＬＥＤチップ２２が搭載されている。ＬＥＤ基板２１の構成は特に限定されないが、本実施形態においては、基材２１ａおよび配線パターン２１ｂを有している。ＬＥＤ基板２１は、平面視寸法がたとえば１２ｍｍＸ１５ｍｍ程度である。
【００５３】
基材２１ａは、絶縁性材料からなり、熱伝導率が高められたガラスエポキシ樹脂やセラミックスからなる。配線パターン２１ｂは、複数のＬＥＤチップ２２を実装し、かつこれらのＬＥＤチップ２２への導通経路を構成する。配線パターン２１ｂは、金属のメッキ層からなり、たとえばＣｕ，Ｎｉ，Ａｕ，Ａｇなどからなる。本実施形態においては、配線パターン２１ｂは、２６個の複数のＬＥＤチップ２２を搭載するためのボンディングパッドと、ホルダ２６との導通をとるための２つの接続パッドとを有する。前記２つの接続パッドは、図１７において複数のＬＥＤチップ２２を挟んでＬＥＤ基板２１の対角線方向に離間配置された矩形状部分である。
【００５４】
複数のＬＥＤチップ２２は、ＬＥＤ発光部２の発光要素である。ＬＥＤチップ２２は、たとえばＧａＮからなる半導体層を有しており、たとえば青色光を発する。本実施形態においては、２６個のＬＥＤチップ２２がＬＥＤ基板２１に搭載されている。これらのＬＥＤチップ２２は、略マトリクス状に配置されている。ＬＥＤチップ２２は、いわゆる２ワイヤタイプのＬＥＤチップである。本実施形態においては、隣り合うＬＥＤチップ２２どうしが、ワイヤ２３によって直接接続されている。さらに、本実施形態においては、すべてのＬＥＤチップ２２が互いに直列に接続されている。これらのＬＥＤチップ２２は、配線パターン２１ｂの前記２つの接続パッドの間において直接に接続されている。複数のＬＥＤチップ２２の配列ピッチは、たとえば１．０ｍｍ〜１．７ｍｍである。
【００５５】
堰部２５は、ＬＥＤ基板２１上に形成されており、複数のＬＥＤチップ２２を囲んでいうる。本実施形態においては、堰部２５は、平面視において矩形環状とされており、たとえば白色のエポキシ樹脂からなる。堰部２５の高さは、ＬＥＤチップ２２よりも高い。
【００５６】
封止樹脂２４は、複数のＬＥＤチップ２２を覆っており、堰部２５によって囲まれた領域に充填されている。封止樹脂２４は、たとえばシリコーン樹脂あるいはエポキシ樹脂などの透明な樹脂に、蛍光材料が混入された材質からなる。この蛍光材料は、ＬＥＤチップ２２からの青色光によって励起されることにより黄色光を発する。また、ＬＥＤチップ２２からの青色光によって励起されることにより、赤色光を発する蛍光材料と緑色光を発する蛍光材料とを混ぜて用いてもよい。これにより、ＬＥＤ発光部２からは、電球色、昼光色などの白色光が発せられる。
【００５７】
ホルダ２６は、ＬＥＤ基板２１を放熱部材１１の搭載面１１ａに対して固定保持するためのものである。ホルダ２６は、本体２６ａおよび２つの保持電極２６ｂを有している。本体２６ａは、たとえば絶縁性の樹脂からなり、図１５および図１６に示すように、平面視寸法がＬＥＤ基板２１よりも大とされている。また、複数のＬＥＤチップ２２を覆う封止樹脂２４を露出させるように、本体２６ａは、その中央部分が開口している。２つの保持電極２６ｂは、ＬＥＤ基板２１の配線パターン２１ｂの前記２つの接続パッドに各々が接触している。２ｔの保持電極２６ｂは、ホルダ２６に設けられた図示しない２つの外部接続端子と導通している。これらの外部接続端子は、電源部５に導通している。ホルダ２６の放熱部材１１への取り付けは、ねじや嵌合などによってなされる。
【００５８】
カバー３は、モジュールケース１に対して前記出射方向に位置するように取り付けられている。カバー３は、ＬＥＤ発光部２からの光を透過させる。また、本実施形態においては、カバー３は、ＬＥＤ発光部２からの光を拡散させつつ透過させる。カバー３の材質としては、透光性を有する樹脂またはガラスに拡散材を混入した材質が挙げられる。このような構成により、カバー３は、たとえば乳白色を呈する。
【００５９】
カバー３は、本実施形態においては、平面視円形状であり、内側表面３１０、外側表面３２０、側面３４０および係合部３２を有しているが、これはカバー３の具体的構成の一例であり、カバー３は、様々な構成とすることができる。
【００６０】
内側表面３１０は、ＬＥＤ発光部２側に位置しており、モジュールケース１の放熱部材１１の搭載面１１ａと正対している。内側表面３１０は、内側凹面３１１および内側環状面３１２を有している。本実施形態においては、内側表面３１０は、平面視円形状である。
【００６１】
内側表面３１０は、ＬＥＤ発光部２から離間する側（図１４における図中上側）に凹んでいる。本実施形態においては、内側表面３１０は、平面視円形状である。また、内側凹面３１１は、ＬＥＤ発光部２に正対している。さらに、内側凹面３１１は、ＬＥＤ発光部２の発光領域を構成する封止樹脂２４よりも平面視寸法が大であり、平面視において封止樹脂２４を内包している。内側凹面３１１は、たとえば平滑な鏡面仕上げとされていてもよい。本実施形態の内側凹面３１１は、平面視においてＬＥＤ発光部２の発光領域である封止樹脂２４よりも大であり、前記発光領域を内包している。
【００６２】
内側凹面３１１は、内側凹面３１１を囲んでおり、本実施形態においては、平面視円形状である。内側環状面３１２は、搭載面１１ａと平行な平面とされている。また、内側環状面３１２は、内側凹面３１１と同様に、たとえば平滑な鏡面仕上げとされていてもよい。
【００６３】
外側表面３２０は、内側表面３１０とは反対側に位置しており、平面視円形状である。本実施形態においては、外側表面３２０は、ＬＥＤ発光部２から離間する側（図１４における図中上側）に膨出した形状である。外側表面３２０の曲率半径は、内側凹面３１１の曲率半径よりも大である。外側表面３２０は、全体がたとえば凹凸状に仕上げられていてもよい。この凹凸状の形態は、外側表面３２０から出射する光を適度に拡散させる効果を奏しうるものであり、いわゆるシボ面と称されるものである。
【００６４】
側面３４０は、内側表面３１０と外側表面３２０とが離間する方向に沿っており、断面円形状の曲面である。係合部３２は、カバー３の外周端に設けられており、モジュールケース１の放熱部材１１の係合部１１ｃと係合することにより、カバー３をモジュールケース１に取り付ける機能を果たす。
【００６５】
電源部５は、たとえば商用の１００Ｖ交流電力をＬＥＤ発光部２の複数のＬＥＤチップ２２を点灯させるのに適した直流電力に変換するものである。電源部５は、絶縁部材１２の凸部１２ａに収容されている。
【００６６】
本実施形態の電源部５は、電源基板５１および複数の電子部品５２からなる。
【００６７】
電源基板５１は、電源部５の土台となるものであり、複数の電子部品５２を支持している。また、複数の電子部品５２同士を適宜導通させる導通経路を有する。
【００６８】
複数の電子部品５２は、電源部５の機能を実現するための電源回路を構成する要素である。複数の電子部品５２の種類や仕様は特に限定されないが、代表的なものとして、トランス、コンデンサ、抵抗器、ダイオードなどが挙げられる。
【００６９】
電源部５には、ＬＥＤケーブル５８および電源ケーブル５９が接続されている。ＬＥＤケーブル５８は、電源部５からＬＥＤ発光部２へと電力を供給するものであり、電源部５とＬＥＤ発光部２とに接続されている。電源ケーブル５９は、外部から受けた電力を電源部５へと導くものであり、電源部５とモジュールケース１のピン１３とに接続されている。
【００７０】
図１は、ＬＥＤ照明モジュールＢ１を示す一部断面正面図である。図２は、ＬＥＤ照明モジュールＢ１を示す側面図である。図３は、ＬＥＤ照明モジュールＢ１を示す平面図である。図４は、ＬＥＤ照明モジュールＢ１を省略した要部平面図である。図５は、ソケット７７を省略した要部平面図である。図６は、図４のＶＩ−ＶＩ線に沿う要部断面図である。図７は、図４のＶＩＩ−ＶＩＩ線に沿う要部断面図である。図８は、図１の支持部材７を示す斜視図である。図９は、支持部材７を示す平面図である。図１０は、支持部材７を示す側面図である。図１においては、理解の便宜上、装置ケース６を断面で表している。
【００７１】
これらの図において、本発明で言う第１方向がｚ方向であり、第二方向がｙ方向であり、第三方向がｘ方向である。
【００７２】
装置ケース６は、底板部６１および側板部６２を有している。装置ケース６は、支持部材７、ソケット７７およびＬＥＤ照明モジュールＢ１を収容している。本実施形態においては、底板部６１は、ｚ方向を向きｘｙ平面に沿っており、ｚ方向視円形状である。また、側板部６２は、ｚ方向を軸方向とする円筒形状である。なお、これらの底板部６１および側板部６２の形状はあくまで一例であり、これらに限定されるものではない。装置ケース６の材質は特に限定されないが、たとえば厚さが０．７５ｍｍ〜１．０ｍｍ程度の鋼板からなる。
【００７３】
支持部材７は、ソケット７７および外部取付部材８を装置ケース６によって支持するための部材である。本実施形態の支持部材７は、第１板部７１、一対の第２板部７２および一対の第３板部７３を有している。支持部材７の材質は特に限定されず、本実施形態においては、たとえば鋼板によって形成されている。
【００７４】
図８〜図１０に示すように、第１板部７１は、ｚ方向を向きｘｙ平面に沿う平板状であり、底板部６１に対して隙間をおいてｚ方向に離間配置されている。支持部材７は、一対の周縁７１０を有している。一対の周縁７１０は、第１板部７１のｘ方向両端に位置している。本実施形態においては、周縁７１０は、ｚ方向視において底板部６１の周縁に沿う円弧形状とされている。第１板部７１のｙ方向両側の端縁は、ｘ方向に沿った直線上である。
【００７５】
第１板部７１は、４つのソケットボルト用孔７１１、一対の外部取付ボルト用孔７１２、一対の外部取付アーム用孔７１３およびケーブル用孔７１４を有している。
【００７６】
ソケットボルト用孔７１１の個数および配置は特に限定されず、以降においては、図示された例に沿って説明する。４つのソケットボルト用孔７１１は、図５に示すように、平面視において底板部６１の中心から等距離に配置されている。４つのソケットボルト用孔７１１は、ｚ方向視において、ｙ方向およびｘ方向に延びる辺を有する矩形状をなす配置とされている。４つのソケットボルト用孔７１１がなす矩形状は、ｘ方向長さがｙ方向長さよりも大である。ソケットボルト用孔７１１は、ｚ方向視においてたとえば円形である。また、本実施形態においては、ソケットボルト用孔７１１には、雌ねじが形成されている。この雌ねじの形成手法は、たとえばバーリング加工による。
【００７７】
一対の外部取付ボルト用孔７１２は、第１板部７１のｘ方向一端寄りにおいて、ｙ方向に離間配置されている。外部取付ボルト用孔７１２のｚ方向視における底板部６１との中心との距離は、ソケットボルト用孔７１１と底板部６１の中心との距離よりも大である。また、一対の外部取付ボルト用孔７１２のｙ方向距離は、４つのソケットボルト用孔７１１がなす矩形状のｙ方向距離よりも大である。外部取付ボルト用孔７１２は、ｚ方向視においてたとえば円形状である。外部取付ボルト用孔７１２には、雌ねじが形成されている。この雌ねじの形成手法は、たとえばバーリング加工による。
【００７８】
一対の外部取付アーム用孔７１３は、第１板部７１のｘ方向一端寄りにおいて、ｙ方向に離間配置されており、本実施形態においては、外部取付ボルト用孔７１２とｘ方向位置が一致している。一対の外部取付アーム用孔７１３は、ｙ方向において一対の外部取付ボルト用孔７１２の間に配置されている。外部取付アーム用孔７１３のｚ方向視における底板部６１との中心との距離は、ソケットボルト用孔７１１と底板部６１の中心との距離よりも大である。また、一対の外部取付アーム用孔７１３のｙ方向距離は、４つのソケットボルト用孔７１１がなす矩形状のｙ方向距離よりも小である。外部取付アーム用孔７１３は、本実施形態においては、ｚ方向視においてｘ方向に長く延びる長矩形状である。外部取付アーム用孔７１３は、ねじ加工が施されていない貫通孔であればよい。
【００７９】
ケーブル用孔７１４は、ｙ方向において一対の外部取付アーム用孔７１３の間に位置している。また、ケーブル用孔７１４のｘ方向位置は、本実施形態においては、外部取付ボルト用孔７１２および外部取付アーム用孔７１３と一致している。ケーブル用孔７１４は、ｚ方向視においてたとえば円形である。ケーブル用孔７１４は、ねじ加工が施されていない貫通孔であればよい。
【００８０】
一対の第２板部７２は、ｚ方向視において第１板部７１のｙ方向に両側に位置する。第２板部７２は、装置ケース６の底板部６１に対して固定されている。第２板部７２と底板部６１とを固定する手法は特に限定されず、本実施形態においては、溶接によって固定されている場合を例に説明するが、これ以外のたとえば接着等の手法を適宜採用できる。第２板部７２のｙ方向端部に位置する周縁７２０は、ｚ方向視において底板部６１の周縁に沿う円弧形状とされている。これにより、図５に示すように、支持部材７は、ｚ方向視において底板部６１よりも若干直径が小である略円形となっている。
【００８１】
一対の第３板部７３は、第１板部７１のｙ方向両端と一対の第２板部７２とを繋いでいる。第３板部７３は、ｚ方向に起立しており、ｘ方向に長く延びる長矩形状である。
【００８２】
ソケット７７は、支持部材７に支持されており、ＬＥＤ照明モジュールＢ１が脱着可能に取り付けられるものである。ソケット７７は、ＬＥＤ照明モジュールＢ１を取り付けられるものであれば特に限定されず、本実施形態においては、ＩＥＣ規格のＧＸ５３型のソケットとして構成されている。このようなソケット７７は、ＬＥＤ照明モジュールＢ１を支持するとともに、ＬＥＤ照明モジュールＢ１に対する給電機能を果たす。
【００８３】
図１、図４および図７に示すように、ソケット７７は、凹部７７１、一対のピン用係合部７７２および４つのソケットボルト用孔７７３を有する。
【００８４】
凹部７７１は、ｚ方向に凹んでいる。本実施形態においては、凹部７７１は、ｚ方向視において円形であり、その中心が底板部６１の中心と略一致している。凹部７７１には、ＬＥＤ照明モジュールＢ１の凸部１２ａが挿入される。
【００８５】
一対のピン用係合部７７２は、ＬＥＤ照明モジュールＢ１の一対のピン１３と係合する部位である。一対のピン用係合部７７２は、ｚ方向視において、ｙ方向に離間配置されている。
【００８６】
４つのソケットボルト用孔７７３は、ｚ方向視において４つのソケットボルト用孔７１１と重なる配置とされている。ソケットボルト用孔７７３は、ねじ加工が施されていない貫通孔であってもよい。
【００８７】
凹部７７１は、ｚ方向視において、４つのソケットボルト用孔７７３（ソケットボルト用孔７１１）よりも底板部６１の中心側に位置している。ピン用係合部７７２は、ｚ方向視において底板部６１の中心からの距離がソケットボルト用孔７７３（ソケットボルト用孔７１１）と等しい。
【００８８】
ソケット７７は、４つのソケットボルト７７４によって底板部６１に固定されている。ソケットボルト７７４は、所謂雄ねじである。ソケットボルト７７４は、ソケット７７のソケットボルト用孔７７３を貫通し、第１板部７１のソケットボルト用孔７１１に螺合している。図７に示すように、ソケットボルト７７４の先端は、ｚ方向において底板部６１よりもＬＥＤ照明モジュールＢ１側に位置している。より具体的には、ソケットボルト７７４の先端は、底板部６１と第１板部７１との間の隙間に位置している。なお、たとえば第１板部７１が肉厚の構成である場合に、ソケットボルト７７４の先端が、ｚ方向において第１板部７１の内部に位置する構成であってもよい。
【００８９】
図１、図２、図５および図６に示すように、外部取付部材８は、装置ケース６を外部に固定するためのものである。外部取付部材８は、外部取付部８１、丁番部８２、一対の外部取り付けアーム８３および主電源ケーブル８４を有する。
【００９０】
外部取付部８１は、ＬＥＤ照明装置Ａ１を外部に取り付ける際に用いられる部位である。外部取付部８１の構成は特に限定されないが、本実施形態においては、たとえば住宅の天井等に設けられたダクトレールに取り付けられる仕様とされている。これにより、外部取付部８１は、ＬＥＤ照明モジュールＢ１を天井等に固定する機能と、天井等に設けられた商用電力ケーブル（図示略）から受電する機能とを果たす。
【００９１】
丁番部８２は、外部取付部８１と一対の外部取り付けアーム８３との相対角度を変更するためのものである。丁番部８２を設けることにより、たとえば天井等に対する装置ケース６の角度を変更することが可能であり、照明箇所を調節することができる。
【００９２】
一対の外部取り付けアーム８３は、底板部６１を貫通しており、支持部材７に対して外部取付部材８を固定する機能を果たす。外部取り付けアーム８３は、主部８３１および固定部８３２を有する。外部取り付けアーム８３の具体的構成は特に限定されないが、本実施形態においては、たとえば鋼板によって形成されている。
【００９３】
主部８３１は、ｚ方向に延びており、ｘ方向を幅方向、ｙ方向を厚さ方向とする帯板状である。外部取り付けアーム８３の一端部は、丁番部８２に接続されている。主部８３１は、底板部６１に設けられたアーム孔６１２および第１板部７１の外部取付アーム用孔７１３を貫通している。
【００９４】
固定部８３２は、主部８３１のｚ方向先端からｙ方向外方に延びている。固定部８３２は、貫通孔８３３を有する。貫通孔８３３は、ｚ方向視において第１板部７１の外部取付ボルト用孔７１２と重なる。貫通孔８３３は、ねじ加工が施されていない貫通孔であってもよい。
【００９５】
一対の外部取り付けアーム８３は、一対の外部取付ボルト８５によって第１板部７１に固定されている。外部取付ボルト８５は、外部取り付けアーム８３の貫通孔８３３を貫通して第１板部７１の外部取付ボルト用孔７１２に螺合している。外部取付ボルト８５の先端は、ｚ方向において底板部６１よりもＬＥＤ照明モジュールＢ１側に位置する。より具体的には、外部取付ボルト８５の先端は、底板部６１と第１板部７１との間の隙間に位置している。なお、たとえば第１板部７１が肉厚の構成である場合に、外部取付ボルト８５の先端が、ｚ方向において第１板部７１の内部に位置する構成であってもよい。
【００９６】
主電源ケーブル８４は、外部取付部８１によって受電した電力をソケット７７へと導く導通経路を構成する。主電源ケーブル８４の一端は、外部取付部８１に接続されており、他端はソケット７７の一対のピン用係合部７７２に接続されている。図６に示すように、主電源ケーブル８４は、装置ケース６の底板部６１に形成されたケーブル孔６１１および第１板部７１のケーブル用孔７１４に挿通されている。
【００９７】
次に、ＬＥＤ照明装置Ａ１の作用について説明する。
【００９８】
本実施形態によれば、ソケットボルト７７４の先端は、ｚ方向において底板部６１よりもＬＥＤ照明モジュールＢ１側に位置している。これにより、ソケットボルト７７４は、装置ケース６の外観には表れない。一方、支持部材７を介してソケット７７が底板部６１に固定されていることにより、装置ケース６にＬＥＤ照明モジュールＢ１を取り付けることが可能である。したがって、取り替え可能なＬＥＤ照明モジュールＢ１を備えるとともに、ＬＥＤ照明装置Ａ１外観をより洗練することができる。
【００９９】
特に、本実施形態においては、ソケットボルト７７４の先端は、第１板部７１と底板部６１との間の隙間に位置している。これにより、ソケットボルト７７４を装置ケース６の外観に表さないものとしつつ、第１板部７１をたとえば鋼板などのソケットボルト７７４の大部分をｚ方向において含み得ない薄肉の構成とすることができる。これは、ＬＥＤ照明装置Ａ１の軽量化およびコスト低減に適している。
【０１００】
また、外部取付部材８を固定するための外部取付ボルト８５は、ｚ方向において底板部６１よりもＬＥＤ照明モジュールＢ１側に位置している。これにより、外部取付ボルト８５は、装置ケース６の外観には表れない。したがって、ＬＥＤ照明装置Ａ１外観をより洗練することができる。特に、本実施形態においては、外部取付ボルト８５の先端は、第１板部７１と底板部６１との間の隙間に位置している。これにより、外部取付ボルト８５を装置ケース６の外観に表さないものとしつつ、第１板部７１をたとえば鋼板などの外部取付ボルト８５の大部分をｚ方向において含み得ない薄肉の構成とすることができる。これは、ＬＥＤ照明装置Ａ１の軽量化およびコスト低減に適している。
【０１０１】
支持部材７の第３板部７３は、溶接によって底板部６１に固定されている。これは、ＬＥＤ照明装置Ａ１の外観を洗練したものとするのに好ましい。
【０１０２】
周縁７１０および周縁７２０を円弧形状とすることにより、支持部材７は、ｚ方向視において装置ケース６の底板部６１より若干小である構成となっている。これにより、ｚ方向視において底板部６１の大部分が支持部材７によって覆われた構成となっている。第１板部７１が大きいほど、ソケット７７の固定および外部取付部材８の固定を確実に行うことができる。一方、第３板部７３が大きいほど、支持部材７を底板部６１に対して強固に固定することができる。したがって、ＬＥＤ照明装置Ａ１の外形寸法が決定されることによって制限される底板部６１の面積を、ソケット７７および外部取付部材８の固定と、支持部材７の固定とに効率よく活用することができる。
【０１０３】
４つのソケットボルト用孔７１１がなす矩形状は、ｘ方向寸法がｙ方向寸法よりも大である。これにより、ソケットボルト７７４によるソケット７７の固定、すなわちＬＥＤ照明モジュールＢ１の支持部材７への固定をより強固としつつ、４つのソケットボルト用孔７１１を配置するためのスペースのｙ方向寸法、すなわち第１板部７１のｙ方向寸法を縮小することができる。これにより、第３板部７３の大きさを適切に確保することができる。
【０１０４】
外部取付部材８を固定するための外部取付ボルト用孔７１２、外部取付アーム用孔７１３およびケーブル用孔７１４は、４つのソケットボルト用孔７１１に対してｘ方向片側の外方に配置されている。これにより、第１板部７１がｙ方向に拡大することを防止することができる。また、このような構成により、図１に示すように、外部取付部材８は、装置ケース６に対してｘ方向一方側に偏った配置となる。また、外部取付部材８が丁番部８２を有することにより、装置ケース６は、外部取付部８１（天井等）に対する角度が変更可能である。外部取付部材８が一方側に偏っていることにより、装置ケース６をより大きく傾けたることができる。
【０１０５】
図１８は、支持部材７の変形例を示している。本変形例においては、第１板部７１のｘ方向両側に、一対の外部取付ボルト用孔７１２、一対の外部取付アーム用孔７１３およびケーブル用孔７１４が設けられている。このような構成は、ＬＥＤ照明装置Ａ１が一つのみの外部取付部材８を有する構成であっても、装置ケース６に対して支持部材７を固定するｘ方向における向きがいずれであっても、装置ケース６に対して偏って配置された外部取付部材８を適切に支持部材７に固定できるという利点がある。これは、ＬＥＤ照明装置Ａ１の製造工程において溶接作業等の不手際を未然に防止できるという利点がある。
【０１０６】
本発明に係るＬＥＤ照明装置は、上述した実施形態に限定されるものではない。本発明に係るＬＥＤ照明装置の各部の具体的な構成は、種々に設計変更自在である。
【符号の説明】
【０１０７】
Ａ１    ：ＬＥＤ照明装置
Ｂ１    ：ＬＥＤ照明モジュール
１      ：モジュールケース
２      ：ＬＥＤ発光部
３      ：カバー
５      ：電源部
６      ：装置ケース
７      ：支持部材
８      ：外部取付部材
１１    ：放熱部材
１１ａ  ：搭載面
１１ｂ  ：フィン
１１ｃ  ：係合部
１２    ：絶縁部材
１２ａ  ：凸部
１２ｂ  ：溝部
１３    ：ピン
１４    ：口金
１５    ：中間支持部
２１    ：ＬＥＤ基板
２１ａ  ：基材
２１ｂ  ：配線パターン
２２    ：ＬＥＤチップ
２３    ：ワイヤ
２４    ：封止樹脂
２５    ：堰部
２６    ：ホルダ
２６ａ  ：本体
２６ｂ  ：保持電極
３２    ：係合部
５１    ：電源基板
５２    ：電子部品
５８    ：ＬＥＤケーブル
５９    ：電源ケーブル
６１    ：底板部
６２    ：側板部
７１    ：第１板部
７２    ：第２板部
７３    ：第３板部
７７    ：ソケット
８１    ：外部取付部
８２    ：丁番部
８３    ：外部取り付けアーム
８４    ：主電源ケーブル
８５    ：外部取付ボルト
３１０  ：内側表面
３１１  ：内側凹面
３１２  ：内側環状面
３２０  ：外側表面
３４０  ：側面
６１１  ：ケーブル孔
６１２  ：アーム孔
７１０  ：周縁
７１１  ：ソケットボルト用孔
７１２  ：外部取付ボルト用孔
７１３  ：外部取付アーム用孔
７１４  ：ケーブル用孔
７２０  ：周縁
７７１  ：凹部
７７２  ：ピン用係合部
７７３  ：ソケットボルト用孔
７７４  ：ソケットボルト
８３１  ：主部
８３２  ：固定部
８３３  ：貫通孔
【図１】
2017084514.tif 000003
【図２】
2017084514.tif 000004
【図３】
2017084514.tif 000005
【図４】
2017084514.tif 000006
【図５】
2017084514.tif 000007
【図６】
2017084514.tif 000008
【図７】
2017084514.tif 000009
【図８】
2017084514.tif 000010
【図９】
2017084514.tif 000011
【図１０】
2017084514.tif 000012
【図１１】
2017084514.tif 000013
【図１２】
2017084514.tif 000014
【図１３】
2017084514.tif 000015
【図１４】
2017084514.tif 000016
【図１５】
2017084514.tif 000017
【図１６】
2017084514.tif 000018
【図１７】
2017084514.tif 000019
【図１８】
2017084514.tif 000020